(57)【要約】【課題】被照明領域の全域を均一な明るさで、かつ所望の色で照明可能な照明装置を提供する。【解決手段】第１方向に延在するとともに、前記第１方向に交差する第２方向に延在する被照明領域を照明する照明装置（１）は、コヒーレント光を放射する光源（２）と、光源にて放射されたコヒーレント光を回折させて、被照明領域の全域をそれぞれ照明する複数のホログラム素子（３）と、を備える。複数のホログラム素子のうち少なくとも一つは、被照明領域の第２方向における両端部の照度が中央部の照度よりも高くなるように、入射されたコヒーレント光を回折させる。
2017146154.tif 000002
【特許請求の範囲】
【請求項１】
第１方向に延在するとともに、前記第１方向に交差する第２方向に延在する被照明領域を照明する照明装置であって、  コヒーレント光を放射する光源と、  前記光源にて放射された前記コヒーレント光を回折させて、前記被照明領域の全域をそれぞれ照明する複数のホログラム素子と、を備え、  前記複数のホログラム素子のうち少なくとも一つは、前記被照明領域の第２方向における両端部の照度が中央部の照度よりも高くなるように、入射されたコヒーレント光を回折させる照明装置。
【請求項２】
前記複数のホログラム素子の少なくとも一つは、複数の要素ホログラム素子を有し、  前記要素ホログラム素子は、入射されたコヒーレント光を回折させて、前記被照明領域の全域を照明する請求項１に記載の照明装置。
【請求項３】
前記複数の要素ホログラム素子のうち少なくとも一つは、前記被照明領域の第２方向における両端部の照度が第２方向における中央部の照度よりも高くなるように、入射された前記コヒーレント光を回折させる請求項２に記載の照明装置。
【請求項４】
第１方向に延在するとともに、前記第１方向に交差する第２方向に延在する被照明領域を照明する照明装置であって、  それぞれ異なる波長域のコヒーレント光を放射する複数の光源と、  前記複数の光源のうち、対応する光源にて放射された前記コヒーレント光を回折させて、前記被照明領域の全域をそれぞれ異なる照明色で照明する複数のホログラム素子と、を備え、  前記複数のホログラム素子は、前記被照明領域の第２方向における両端部の放射照度が中央部の放射照度とは相違するように、入射されたコヒーレント光を回折させる照明装置。
【請求項５】
前記複数のホログラム素子のうち、少なくとも一つのホログラム素子は、前記被照明領域の第２方向における両端部の照度が中央部の照度よりも高くなるように、入射された前記コヒーレント光を回折させる請求項４に記載の照明装置。
【請求項６】
前記複数のホログラム素子のうち少なくとも一つは、複数の要素ホログラム素子を有し、  前記要素ホログラム素子は、入射されたコヒーレント光を回折させて、前記被照明領域の全域を照明する請求項４または５に記載の照明装置。
【請求項７】
前記複数の要素ホログラム素子のうち少なくとも一つは、前記被照明領域の第２方向における両端部の照度が中央部の照度よりも高くなるように、入射された前記コヒーレント光を回折させる請求項６に記載の照明装置。
【請求項８】
第１方向に延在するとともに、前記第１方向に交差する第２方向に延在する被照明領域を照明する照明装置であって、  コヒーレント光を放射する光源と、  前記光源にて放射された前記コヒーレント光を回折させて、前記被照明領域の全域をそれぞれ照明する複数のホログラム素子と、を備え、  前記複数のホログラム素子のうち少なくとも一つは、前記被照明領域の第２方向における両端部の色度と中央部の色度とが互いに相違するように、入射されたコヒーレント光を回折させる照明装置。
【請求項９】
前記複数のホログラム素子は、前記被照明領域の第２方向における両端部を通過して第１方向に延びる前記被照明領域の両エッジ位置が揃うように、入射された前記コヒーレント光を回折させる請求項１乃至８のいずれか１項に記載の照明装置。
【請求項１０】
前記複数のホログラム素子は、前記被照明領域の第１方向における両端部を通過して第２方向に延びる両エッジ位置が揃うように、入射された前記コヒーレント光を回折させる請求項１乃至９のいずれか１項に記載の照明装置。
【請求項１１】
前記被照明領域は、前記複数のホログラム素子による回折光が進行する角度空間内の所定の二次元平面上に配置され、  前記複数のホログラム素子は、前記二次元平面上の前記第２方向に沿って配置される請求項１乃至１０のいずれか１項に記載の照明装置。
【請求項１２】
前記被照明領域は、前記複数のホログラム素子からの回折光が進行する角度空間内の所定の二次元平面上に配置され、  前記複数のホログラム素子は、前記二次元平面上の法線方向に沿って配置される請求項１乃至１０のいずれか１項に記載の照明装置。
【請求項１３】
前記光源が放射したコヒーレント光を整形および平行化して前記複数のホログラム素子に入射させる整形光学系を備える請求項１乃至１２のいずれか１項に記載の照明装置。
【発明の詳細な説明】
【技術分野】
【０００１】  本開示は、第１方向および第２方向に延在された被照明領域を照明する照明装置に関する。
【背景技術】
【０００２】  光源とホログラム素子を組み合わせて、路面を所望のパターンで照明する照明装置が提案されている（特開２０１５−１３２７０７号公報参照）。この公報に開示された照明装置では、単一光源で生成されたレーザ光を単一のホログラム素子で回折している。
【発明の開示】
【０００３】  路面を所望の色で照明するには、複数のホログラム素子を設けて、各ホログラム素子からの回折光を路面上で重ね合わせる必要がある。
【０００４】  しかしながら、路面上の被照明領域の位置を全てのホログラム素子で一致させるのは困難であり、被照明領域の少なくともエッジ付近では、色が分離してしまう。このため、被照明領域のエッジがぼやけたり、本来の色とは異なる色で視認されてしまう。このように、複数のホログラム素子を設けて被照明領域の全域を均一な明るさで、かつ所望の色で照明するのは技術的に難しかった。
【０００５】  本開示は、被照明領域の全域を均一な明るさで、かつ所望の色で照明可能な照明装置を提供するものである。
【０００６】  上記の課題を解決するために、本開示の一態様は、第１方向に延在するとともに、前記第１方向に交差する第２方向に延在する被照明領域を照明する照明装置であって、  コヒーレント光を放射する光源と、  前記光源にて放射された前記コヒーレント光を回折させて、前記被照明領域の全域をそれぞれ照明する複数のホログラム素子と、を備え、  前記複数のホログラム素子のうち少なくとも一つは、前記被照明領域の第２方向における両端部の照度が中央部の照度よりも高くなるように、入射されたコヒーレント光を回折させる。
【０００７】  前記複数のホログラム素子の少なくとも一つは、複数の要素ホログラム素子を有してもよく、  前記要素ホログラム素子は、入射されたコヒーレント光を回折させて、前記被照明領域の全域を照明してもよい。
【０００８】  前記複数の要素ホログラム素子のうち少なくとも一つは、前記被照明領域の第２方向における両端部の照度が第２方向における中央部の照度よりも高くなるように、入射された前記コヒーレント光を回折させてもよい。
【０００９】  本開示の一態様は、第１方向に延在するとともに、前記第１方向に交差する第２方向に延在する被照明領域を照明する照明装置であって、  それぞれ異なる波長域のコヒーレント光を放射する複数の光源と、  前記複数の光源のうち、対応する光源にて放射された前記コヒーレント光を回折させて、前記被照明領域の全域をそれぞれ異なる照明色で照明する複数のホログラム素子と、を備え、  前記複数のホログラム素子は、前記被照明領域の第２方向における両端部の放射照度が中央部の放射照度とは相違するように、入射されたコヒーレント光を回折させる。
【００１０】  前記複数のホログラム素子のうち、少なくとも一つのホログラム素子は、前記被照明領域の第２方向における両端部の照度が中央部の照度よりも高くなるように、入射された前記コヒーレント光を回折させてもよい。
【００１１】  前記複数のホログラム素子のうち少なくとも一つは、複数の要素ホログラム素子を有してもよく、  前記要素ホログラム素子は、入射されたコヒーレント光を回折させて、前記被照明領域の全域を照明してもよい。
【００１２】  前記複数の要素ホログラム素子のうち少なくとも一つは、前記被照明領域の第２方向における両端部の照度が中央部の照度よりも高くなるように、入射された前記コヒーレント光を回折させてもよい。
【００１３】  前記複数のホログラム素子は、前記被照明領域の第２方向における両端部を通過して第１方向に延びる前記被照明領域の両エッジ位置が揃うように、入射された前記コヒーレント光を回折させてもよい。
【００１４】  また、本開示の一態様は、第１方向に延在するとともに、前記第１方向に交差する第２方向に延在する被照明領域を照明する照明装置であって、  コヒーレント光を放射する光源と、  前記光源にて放射された前記コヒーレント光を回折させて、前記被照明領域の全域をそれぞれ照明する複数のホログラム素子と、を備え、  前記複数のホログラム素子のうち少なくとも一つは、前記被照明領域の第２方向における両端部の色度と中央部の色度とが互いに相違するように、入射されたコヒーレント光を回折させる照明装置である。
【００１５】  前記複数のホログラム素子は、前記被照明領域の第１方向における両端部を通過して第２方向に延びる両エッジ位置が揃うように、入射された前記コヒーレント光を回折させてもよい。
【００１６】  前記被照明領域は、前記複数のホログラム素子による回折光が進行する角度空間内の所定の二次元平面上に配置され、  前記複数のホログラム素子は、前記二次元平面上の前記第２方向に沿って配置されてもよい。
【００１７】  前記被照明領域は、前記複数のホログラム素子からの回折光が進行する角度空間内の所定の二次元平面上に配置され、  前記複数のホログラム素子は、前記二次元平面上の法線方向に沿って配置されてもよい。
【００１８】  前記光源が放射したコヒーレント光を整形および平行化して前記複数のホログラム素子に入射させる整形光学系を備えてもよい。
【００１９】  本開示によれば、被照明領域の全域を均一な明るさで、かつ所望の色で照明することができる。
【図面の簡単な説明】
【００２０】
【図１】本開示の第１の実施形態に係る照明装置１の概略構成を示す斜視図。
【図２】図１を上方から見た模式的な平面図。
【図３】第１ホログラム素子と第２ホログラム素子の回折特性の調整手法を説明する図。
【図４】第２の実施形態によるホログラム素子の回折特性を示すグラフ。
【図５】第２の実施形態による照明装置の要部を模式的に示す図。
【図６】第３の実施形態によるホログラム素子の回折特性を示すグラフ。
【図７】複数のホログラム素子を被照明領域のｎｄに沿って配置した照明装置の概略構成を示す斜視図。
【図８】第４の実施形態における照明範囲のずれを説明する図。
【図９】縦置きされた複数のホログラム素子の回折特性の調整手法を説明する図。
【発明を実施するための形態】
【００２１】  以下、本開示の実施の形態について、詳細に説明する。以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。
【００２２】  また、本明細書において用いる、形状や幾何学的条件並びにそれらの程度を特定する、例えば、「平行」、「直交」、「同一」等の用語や、長さや角度の値等については、厳密な意味に縛られることなく、同様の機能を期待し得る程度の範囲を含めて解釈することとする。
【００２３】  （第１の実施形態）  図１は本開示の第１の実施形態に係る照明装置１の概略構成を示す斜視図である。図１の照明装置１は、光源２と、複数のホログラム素子３とを備えている。光源２は、コヒーレント光を放射する。図１の例では、複数のホログラム素子３と同じ数の複数の光源２を設けているが、光源２の数は任意である。以下では、各ホログラム素子３ごとに一つの光源２を設ける例を説明する。光源２は、典型的には、レーザ光を放射するレーザ光源２である。レーザ光源２には、半導体レーザなどの種々のタイプがあるが、いずれのタイプのレーザ光源２でもよい。
【００２４】  複数の光源２から放射されるコヒーレント光の波長域は、同じでも異なっていてもよいが、以下では、複数の光源２がそれぞれ異なる波長域のコヒーレント光を放射する例を説明する。それぞれ異なる波長域のコヒーレント光とは、例えば、赤、緑、青の計３つのコヒーレント光である。もちろん、光源２は、赤緑青以外の色のコヒーレント光を放射してもよい。また、同じ波長域の光源２を複数設けて、被照明領域４の照明強度を向上させてもよい。
【００２５】  図１の照明装置１は、複数の光源２と複数のホログラム素子３との間に配置される複数の整形光学系５を備えている。各整形光学系５は、対応する光源２から放射されたコヒーレント光を整形および平行化する。
【００２６】  より具体的には、各整形光学系５は、光源２から放射されたコヒーレント光のビーム口径を広げる第１レンズ６と、第１レンズ６を通過したコヒーレント光を平行化する第２レンズ７とを有する。第２レンズ７で平行化されたコヒーレント光は、対応するホログラム素子３に入射される。なお、整形光学系５の光学構成は、図１に限定されるものではない。
【００２７】  各ホログラム素子３には、対応する光源２にて放射されて、対応する整形光学系５で整形されたコヒーレント光が入射される。各ホログラム素子３は、入射されたコヒーレント光を回折させて、被照明領域４の全域を照明する。なお、本明細書において、「被照明領域４の全域」とは、各ホログラム素子３で回折された回折光の照明範囲が完全に一致する場合だけでなく、それぞれの照明範囲のずれが±２０％以内であることを意味する。この数値範囲は、本発明者が作製した照明装置１のプロトタイプによる実験結果から導出されたものである。
【００２８】  被照明領域４は、複数のホログラム素子３による回折光が進行する角度空間内の所定の二次元平面上に設けられる。本実施形態による被照明領域４は、第１方向に延在するとともに、この第１方向に交差する第２方向に延在する領域である。被照明領域４の形状およびサイズは任意であるが、典型的には、第１方向に対応する長手方向ｄｌと、第２方向に対応する短手方向ｄｗを有する。より具体的には、被照明領域４は、短手方向ｄｗに所定の幅を有し、長手方向ｄｌに延在するライン状の照明範囲である。短手方向ｄｗの幅は有限であるが、長手方向ｄｌの長さは、特に問わない。また、被照明領域４は必ずしも一つとは限らない。例えば、本実施形態による照明装置１を乗物に搭載する場合、乗物の前後方向を長手方向ｄｌとするライン状の被照明領域４を、乗物の幅方向に沿って、例えば乗物の幅分の間隔を隔てて２つ配置してもよい。このように、乗物の幅分の間隔を隔てて２つの被照明領域４を配置する利点は、乗物の進行方向に何らかの障害物があった場合に、その障害物を避けて走行できるか否かを２つの被照明領域４によって容易に判断できることである。
【００２９】  図１における複数のホログラム素子３は、被照明領域４の短手方向ｄｗに沿って配置されており、各ホログラム素子３による回折光は、被照明領域４の長手方向ｄｌに沿って進行し、被照明領域４を照明する。図１の例では、各ホログラム素子３に対応づけて、整形光学系５と光源２とを設けており、複数の整形光学系５と複数の光源２はいずれも、被照明領域４の短手方向ｄｗに沿って配置されている。
【００３０】  図２は図１を上方から見た模式的な平面図である。図２では、簡略化のために、図１ではそれぞれ３つずつ設けられている光源２、整形光学系５およびホログラム素子３のうち、２つずつを図示している。
【００３１】  複数のホログラム素子３が被照明領域４の短手方向ｄｗに沿って配置されている場合、各ホログラム素子３の回折特性が同じであるとすると、図２に示すように、各ホログラム素子３の回折光による照明範囲にずれが生じてしまう。このずれは、被照明領域４の短手方向ｄｗの両端部を通過して長手方向ｄｌに延びる両エッジ部で生じる。このため、被照明領域４の両エッジ部がぼやけることが懸念される。
【００３２】  そこで、望ましくは、複数のホログラム素子３の回折特性を個別に調節して、各ホログラム素子３の回折光による照明範囲が極力重なるようにする。すなわち、被照明領域４の短手方向ｄｗの両端部を通過して長手方向ｄｌに延びる両エッジ部の位置が各ホログラム素子３で同じになるように、各ホログラム素子３の回折特性を調整するのが望ましい。
【００３３】  図３は被照明領域４の短手方向ｄｗに沿って隣接する２つのホログラム素子３（以下、第１ホログラム素子３ａと第２ホログラム素子３ｂ）の回折特性の調整手法を説明する図である。図３の例では、被照明領域４の短手方向ｄｗの幅をＬ、被照明領域４の短手方向ｄｗの中央を通過して長手方向ｄｌに延びる線上に第１ホログラム素子３ａを配置し、第１ホログラム素子３から被照明領域４の短手方向ｄｗに距離ａだけ隔てて第２ホログラム素子３ｂを配置する例を示している。
【００３４】  図３では、第１ホログラム素子３の回折光の角度範囲をθ1+＋θ1-、第２ホログラム素子３の回折光の角度範囲をθ2+＋θ2-としている。また、Ｒは第１ホログラム素子３および第２ホログラム素子３の位置から被照明領域４内の任意の位置までの最短距離である。
【００３５】  図３の角度θ1+、θ1-はそれぞれ、以下の（１）式、（２）式で表される。
【００３６】  ｔａｎθ1+＝Ｌ／(２Ｒ)    …（１）  ｔａｎθ1-＝−Ｌ／(２Ｒ)    …（２）
【００３７】  また、図３の角度θ2+、θ2-はそれぞれ、以下の（３）式、（４）式で表される。
【００３８】  ｔａｎθ2+＝１／Ｒ×(Ｌ／２−ａ)    …（３）  ｔａｎθ2-＝１／Ｒ×(−Ｌ／２−ａ)    …（４）
【００３９】  このように、第１ホログラム素子３ａから距離Ｒの位置において、被照明領域４の短手方向ｄｗの幅分の照明を行うための条件は、第１ホログラム素子３ａが、上記（１）式と（２）式を満たす回折角度θ1+、θ1-を有することである。同様に、第２ホログラム素子３ｂから距離Ｒの位置において、被照明領域４の短手方向ｄｗの幅分の照明を行うための条件は、第２ホログラム素子３ｂが、上記（３）式と（４）式を満たす回折角度θ2+、θ2-を有することである。
【００４０】  上記（１）式〜（４）式からわかるように、被照明領域４の短手方向ｄｗの幅Ｌが一定であるとしても、距離Ｒが変化すると、角度θ1+、θ1-、θ2+、θ2-は変化する。すなわち、第１ホログラム素子３と第２ホログラム素子３の回折特性の調整は、距離Ｒごとに行う必要がある。
【００４１】  このように、被照明領域４の長手方向ｄｌにおける両エッジ部の位置を複数のホログラム素子３で一致させるには、上述した距離Ｒごとに（１）〜（４）式に基づいてホログラム素子３の回折特性を調整する必要がある。
【００４２】  そこで、本実施形態では、複数のホログラム素子３として、計算機合成ホログラム（ＣＧＨ：Computer Generated Hologram）を用いることを想定している。ＣＧＨは、物体光を発光する光源２や、干渉縞を形成するための光学系や、干渉縞を形成するためのブランクのホログラム記録材料などが不要であり、干渉縞の記録工程をコンピュータ上で行えるため、任意の回折特性を持つ干渉縞を容易に生成できる。
【００４３】  上記（１）〜（４）式によれば、複数のホログラム素子３の回折光による被照明領域４の長手方向ｄｌにおける両エッジ部の位置を揃えることができるが、両エッジ部の位置を揃えたとしても、被照明領域４内の照明強度によっては、被照明領域４の視認性が悪くなったり、被照明領域４の両エッジ部がぼやけて視認されるおそれもある。
【００４４】  各ホログラム素子３は、被照明領域４の全域を照明するように設計されているが、被照明領域４の全域について照度が均一になるとは限らず、短手方向ｄｗの中央部の方が両端部よりも照度が高くなりやすい。これは、各ホログラム素子３の配置場所にも依存するが、被照明領域４の短手方向ｄｗの両端部は、中央部よりも、各ホログラム素子３からの距離が平均的に長くなるためである。照度が低くなると、人間の目にはぼやけて視認されるため、折角、上述した（１）〜（４）式に基づいて各ホログラム素子３の回折光による被照明領域４のエッジ部を揃えても、エッジ部がぼやけて視認されてしまう。また、一般には、照明範囲のエッジ部の照度を照明範囲の中央部の照度よりも高くした方が、人間の目には照明範囲が鮮明に感じられる。
【００４５】  そこで、本実施形態では、複数のホログラム素子３のうち少なくとも一つは、被照明領域４の短手方向ｄｗの中央部の照度よりも両端部の照度が高くなるように回折特性が調整されている。
【００４６】  図４は少なくとも一つのホログラム素子３の回折特性を示すグラフである。横軸は、被照明領域４の短手方向ｄｗの位置座標、縦方向は照度である。照度とは、人間の目に感じられる被照明領域４の明るさを表す物理量であり、その単位はルクス［ｌｘ］である。
【００４７】  図示のように、本実施形態では、被照明領域４の短手方向ｄｗの両端部の照度を、中央部の照度よりも高くしている。これにより、被照明領域４の短手方向ｄｗの両端部を通過して長手方向ｄｌに延びる両エッジ部がより際立って視認され、被照明領域４の視認性がよくなる。
【００４８】  後述する第３の実施形態で詳細に説明するように、複数のホログラム素子３が例えば赤、緑、青の照明を行う場合、すべてのホログラム素子３について、図４のような回折特性を持たせる必要はない。一部の色の照明を行うホログラム素子３のみについて、図４のような回折特性を持たせてもよい。
【００４９】  これにより、被照明領域４の中央部とエッジ部で、若干色合いを変えることができ、視認性のよい照明を行うことができる。具体的な一例としては、被照明領域４の全体を基本的には白色で照明する場合であっても、中央部は若干青みがかった照明とし、エッジ部は若干黄色みがかった照明を行うことができ、よりエッジ部を強調させることが可能となる。
【００５０】  このように、本実施形態では、被照明領域４の短手方向ｄｗにおける両端部の照度が中央部の照度よりも高くなるように、少なくとも一つのホログラム素子３の回折特性を調整するため、被照明領域４の長手方向ｄｌに延びる両エッジ部がくっきりと視認され、被照明領域４全体の視認性を向上させることができる。
【００５１】  （第２の実施形態）  第２の実施形態は、各ホログラム素子３が複数の要素ホログラム素子３ａを有するものである。第２の実施形態による照明装置１の全体構成は、図１と同様であるが、各ホログラム素子３の構造が異なっている。
【００５２】  図５は第２の実施形態による照明装置１の要部を模式的に示す図である。第２の実施形態による各ホログラム素子３は、縦横に分割された複数の要素ホログラム素子３ａを有する。各要素ホログラム素子３ａは、被照明領域４の全域を照明することが可能な回折特性を有する。各要素ホログラム素子３ａのサイズは必ずしも同一である必要はない。３つのホログラム素子３のうち、一部のホログラム素子３のみが複数の要素ホログラムを有し、残りのホログラム素子３は単一構造であってもよいが、以下では、説明の簡略化のために、各ホログラム素子３が複数の要素ホログラム素子３ａを有する例を説明する。
【００５３】  各ホログラム素子３が複数の要素ホログラム素子３ａを有し、各要素ホログラム素子３ａが被照明領域４の全域を照明するようにすることにより、被照明領域４でのレーザ強度を弱めてレーザ光（コヒーレント光）の安全性向上を図ることができる。各要素ホログラム素子３ａは、入射面に入射されたコヒーレント光を被照明領域４の全域に拡散させるため、被照明領域４内の各点での光強度は、光源２から放射されるコヒーレント光の光強度よりもかなり小さい。よって、被照明領域４内の任意の点から光源２の方向に視線を向けたとしても、人間の目を痛める可能性が軽減される。また、被照明領域４内の各点には、複数の要素ホログラム素子３ａのからのコヒーレント光がそれぞれ異なる入射角度で入射される。これにより、光の干渉パターンが無相関に重ねられて平均化され、結果として、被照明領域４内では人間の目に観察されるスペックルが目立たなくなる。
【００５４】  第２の実施形態においても、ライン状の被照明領域４のエッジ部の位置が各ホログラム素子３ごとにずれないように、各ホログラム素子３内の複数の要素ホログラム素子３ａの回折特性が調整される。また、第２の実施形態では、被照明領域４の短手方向ｄｗにおける両端部の照度が中央部の照度よりも高くなるように、少なくとも一つのホログラム素子３内の複数の要素ホログラム素子３ａの回折特性が調整される。
【００５５】  このように、第２の実施形態では、各ホログラム素子３が複数の要素ホログラム素子３ａを有するため、各要素ホログラム素子３ａごとに回折特性の調整を行うことができる。これにより、被照明領域４の短手方向ｄｗにおける両端部の照度が中央部の照度よりも高くなるような調整と、被照明領域４の短手方向ｄｗの両端部を通過する長手方向ｄｌに延びる両エッジ部の位置を揃える調整とを行うことができる。
【００５６】  また、各ホログラム素子３を複数の要素ホログラム素子３ａで構成して、各要素ホログラム素子３ａが被照明領域４の全域を照明するようにすることで、被照明領域４における照明光の光強度を下げることができ、レーザ光の安全性を高めることができるとともに、スペックルも目立ちにくくなる。
【００５７】  （第３の実施形態）  第３の実施形態は、被照明領域４の短手方向ｄｗにおける両端部と中央部で、色ごとに放射強度を変えるものである。
【００５８】  図６は少なくとも一つのホログラム素子３の回折特性を示すグラフである。横軸は、被照明領域４の短手方向ｄｗの位置座標、縦方向は放射照度である。放射照度とは、被照明領域４における単位面積当たりの放射エネルギーを表す物理量である。図６のグラフｇｒ１は赤色照明光、グラフｇｒ２は緑色照明光、グラフｇｒ３は青色照明光の特性をそれぞれ示している。
【００５９】  図６に示すように、本実施形態では、照明光の色ごとに、放射照度が相違している。このように、照明光の色ごとに放射照度を相違させる理由は、被照明領域４の照明色によって、人間の目に感じられる被照明領域４の見やすさやボケ具合などが変わってくるためである。
【００６０】  例えば、ライン状の被照明領域４を白色光で照明する場合、被照明領域４の短手方向ｄｗの中央部は青みがかった白で照明し、短手方向ｄｗの両端部は黄色みがかった白で照明した方が、被照明領域４が見やすく感じられて、かつ被照明領域４のエッジ部が鮮明に感じられる。
【００６１】  そこで、本実施形態では、それぞれ異なる色で照明する各ホログラム素子３ごとに、被照明領域４の短手方向ｄｗの中央部と両端部での放射照度の比を個別に調整可能とする。調整の度合は、被照明領域４の照明色や光源２の種類などによって決めればよい。すなわち、図６の放射照度は一例にすぎず、任意に設定して構わない。
【００６２】  図６の例では、緑の照明色は、他の照明色よりも、短手方向ｄｗの中央部と両端部での照射照度の比を小さくしている。その理由は、緑は輝度に影響を与えるため、比が大きいと、被照明領域４内の明るさが不均一になるためである。
【００６３】  緑は、照度に大きな違いを持たせることができるため、短手方向ｄｗの両端部の照度を高くすることで、被照明領域４の長手方向に沿ったエッジを視認しやすくなる。また、赤や青は、照度にはそれほど大きな違いを持たせることはできないが、色度が大きく変化するため、やはり、被照明領域４の長手方向に沿ったエッジを視認しやすくなる。このように、被照明領域４の照明色によって、被照明領域４の中央部とエッジとの照度（放射照度）または色度に違いを持たせることができ、これを利用して被照明領域４の視認性を向上できる。
【００６４】  上述した説明では、各ホログラム素子３が複数の要素ホログラム素子３ａに分割されているか否かを明示していなかったが、第３の実施形態における各ホログラム素子３は、複数の要素ホログラム素子３ａに分割されていてもよいし、単一構造でもよい。
【００６５】  各ホログラム素子３が複数の要素ホログラム素子３ａに分割されている場合には、各要素ホログラム素子３ａごとに、図６のような放射照度になるように、回折特性を調整すればよい。
【００６６】  なお、図６は放射強度を示しているが、第１および第２の実施形態と同様に、被照明領域４の短手方向ｄｗの両端部の照度が中央部の照度よりも高くなるように、各照明色に対応した各ホログラム素子３ごとに回折特性を調整してもよい。
【００６７】  本実施形態によれば、被照明領域４の短手方向ｄｗの中央部と両端部で、放射強度を相違させるような調整を行うことで、結果的に、短手方向ｄｗの両端部の照度を中央部の照度よりも高くすることができる。
【００６８】  このように、第３の実施形態では、照明色が異なる各ホログラム素子３ごとに、被照明領域４の短手方向ｄｗにおける両端部と中央部で、放射照度を相違させるため、被照明領域４のエッジ部をより強調するような照明が可能となり、エッジ部を鮮明に照明することができる。
【００６９】  （第４の実施形態）  上述した第１〜第３の実施形態では、図１および図２に示すように、複数のホログラム素子３が被照明領域４の短手方向ｄｗに沿って配置されている例を示したが、複数のホログラム素子３は、被照明領域４の法線方向ｎｄに沿って配置されていてもよい。すなわち、複数のホログラム素子３は、各ホログラム素子３による回折光が進行する角度空間内の所定の二次元平面上に配置される被照明領域４の短手方向ｄｗに沿って配置してもよいし、この二次元平面の法線方向ｎｄに配置してもよい。
【００７０】  図７は複数のホログラム素子３を被照明領域４の法線方向ｎｄに沿って配置した照明装置１の概略構成を示す斜視図である。図７の各ホログラム素子３が被照明領域４の全域を照明することは、図１と同様である。
【００７１】  しかしながら、図７のように、複数のホログラム素子３を縦置きすると、各ホログラム素子３の回折光による照明範囲は、必ずしも一致せず、図８に示すように、被照明領域４の短手方向ｄｗと長手方向ｄｌの双方においてずれてしまうおそれがある。図８の実線の照明範囲４ａが本来の被照明領域４であるのに対して、破線がずれた照明範囲４ｂである。
【００７２】  そこで、図７のように、複数のホログラム素子３を縦置きした場合には、各ホログラム素子３ごとに、照明範囲が被照明領域４に一致するように、回折特性を調整する。より具体的には、各ホログラム素子３は、被照明領域４における短手方向ｄｗの両端部を通過する長手方向ｄｌに延びる両エッジ部の位置が一致し、かつ、被照明領域４における長手方向ｄｌの両端部を通過する短手方向ｄｗに延びる両エッジ部の位置が一致するように、回折特性を調整する。
【００７３】  また、各ホログラム素子３が複数の要素ホログラム素子３ａを有し、各要素ホログラム素子３ａが被照明領域４の全域を照明する場合には、各要素ホログラム素子３ａごとに、長手方向ｄｌおよび短手方向ｄｗに延びる計４つのエッジ部の位置が揃うように、回折特性を調整する。
【００７４】  また、複数のホログラム素子３を縦置きした場合でも、第１〜第３の実施形態と同様に、被照明領域４内の短手方向ｄｗの中央部と両端部で、照度または放射照度を相違させるような調整を行い、被照明領域４の視認性を向上させる。
【００７５】  図９は縦置きされた複数のホログラム素子３の回折特性の調整手法を説明する図である。図９において、被照明領域４が存在する二次元平面から距離ｂだけ上方に第１ホログラム素子３が配置され、第１ホログラム素子３よりも距離ａだけ上方に第２ホログラム素子３が配置されている。図９は、第１ホログラム素子３と第２ホログラム素子３から被照明領域４の長手方向ｄｌに距離Ｒだけ離れた位置ｒでの照明範囲を一致させる例を示している。第１ホログラム素子３から位置ｒに向かう光線の方向と被照明領域４が存在する二次元平面との為す角度をθ１、第２ホログラム素子３から位置ｒに向かう交線の方向と二次元平面との為す角度をθ２としている。
【００７６】  角度θ１、距離ｂ、および距離Ｒの間には、以下の（５）式が成り立つ。
【００７７】  ｔａｎθ１＝ｂ／Ｒ    …（５）
【００７８】  また、角度θ２、距離ａ、距離ｂ、および距離Ｒの間には、以下の（６）式が成り立つ。  ｔａｎθ２＝(ｂ＋ａ)／Ｒ    …（６）
【００７９】  距離Ｒごとに、上記（５）式と（６）式を満たすように、各ホログラム素子３の回折特性を調整すれば、被照明領域４の長手方向ｄｌの両端部を通過して短手方向ｄｗに延びる両エッジ部の位置を揃えることができる。なお、被照明領域４の短手方向ｄｗの両端部を通過して長手方向ｄｌに延びる両エッジ部の位置を揃えるには、上述した（３）式と（４）式を満たすように、各ホログラム素子３の回折特性を調整すればよい。
【００８０】  このように、複数のホログラム素子３を縦置きした場合でも、横置きした場合と同様に、各ホログラム素子３の回折特性を調整することで、被照明領域４を人間の目に鮮明に照明させることができる。
【００８１】  本開示のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】  １  照明装置、２  光源、３  ホログラム素子、４  被照明領域、５  整形光学系、６  第１レンズ、７  第２レンズ
【図１】
2017146154.tif 000003
【図２】
2017146154.tif 000004
【図３】
2017146154.tif 000005
【図４】
2017146154.tif 000006
【図５】
2017146154.tif 000007
【図６】
2017146154.tif 000008
【図７】
2017146154.tif 000009
【図８】
2017146154.tif 000010
【図９】
2017146154.tif 000011
【国際調査報告】
2017146154.tif 000012
2017146154.tif 000013
2017146154.tif 000014